(57)【要約】【課題】  視野角制限フィルムなどのように熱膨張率が大である光学フィルムをホルダに対して、その熱膨張時においてもうねりなどが生ずることのないように固定する。【解決手段】  熱膨張率が大であるほぼ矩形状の光学フィルム２６をホルダ内にその熱膨張による寸法変化を許容可能として固定する光学フィルムの固定装置４Ａにおいて、上記ホルダの隅に配置される基台４１を有し、基台４１の上面に、光学フィルム２６の膨張力によって降伏変形可能なゴム弾性体からなり、光学フィルム２６の角部を弾性的に支持する支持体４２を設ける。【選択図】  図１
2006126583.tif 000002
【特許請求の範囲】
【請求項１】
熱膨張率が大であるほぼ矩形状の光学フィルムをホルダ内にその熱膨張による寸法変化を許容可能として固定する光学フィルムの固定装置において、
上記ホルダの隅に配置される基台を有し、上記基台の上面には、上記光学フィルムの膨張力によって降伏変形可能なゴム弾性体からなり、上記光学フィルムの角部を弾性的に支持する支持体が設けられていることを特徴とする光学フィルムの固定装置。
【請求項２】
上記支持体は、上記光学フィルムの角部の頂点部分を除いて、その角部を挟む隣接する２辺に対して当接する一対の支持片を備えていることを特徴とする請求項１に記載の光学フィルムの固定装置。
【請求項３】
上記支持体は、上記光学フィルムの角部を挟む隣接する２辺に沿って配置され、その角部の頂点部分に対応する部分で切り離されている一対の支持片を備えているとともに、上記角部の頂点部分には、上記隣接する２辺を上記各支持片に対して非接触状態として上記一対の支持片の対向する側の各端部に当接する頭部が形成されていることを特徴とする請求項１に記載の光学フィルムの固定装置。
【請求項４】
上記光学フィルムが光源を冷陰極管とするサイドライト型バックライト用の光学フィルムであり、上記基台には上記冷陰極管の電極端子部を保持する保持穴が形成されていることを特徴とする請求項１ないし３のいずれか１項に記載の光学フィルムの固定装置。
【発明の詳細な説明】
【技術分野】
【０００１】
本発明は光学フィルムの固定装置に関し、さらに詳しく言えば、液晶表示素子のバックライト内に設けられる光学フィルムの固定に好適な光学フィルムの固定装置に関するものである。
【背景技術】
【０００２】
透過型・半透過型の液晶表示素子は、周辺が暗い場合でも良好な表示が得られるようにするための背面照明装置としてのバックライトを備えている。バックライトには、光源の配置の仕方によって直下型とサイドライト（エッジライト）型とに分けられるが、いずれの場合においても、光源から出射される光を効率よく液晶表示素子に照射するため、その光学系内には光学フィルムが配置されている。
【０００３】
光学フィルムには、光拡散フィルムや輝度上昇フィルムなどが含まれるが、最近では視野角制限（視野角調整）フィルムが開発され、この視野角制限フィルムが一部の機種に採用されている。
【０００４】
視野角制限フィルムは、特定の視野角範囲内では表示が見えるが、その範囲から外れると表示を見えなくするフィルムで、一例として携帯電話機ではプライバシー情報保護のために用いられ、また、カーナビゲーションシステムの車載モニタでは夜間やトンネル内での走行時に、そのモニタ画面のフロントガラスへの映り込み防止用として用いられる。現在市販されているものとしては、例えばスリーエム社製のライトコントロールフィルム「Ｖｉｋｕｉｔｉ」（商品名）がある。
【発明の開示】
【発明が解決しようとする課題】
【０００５】
ところで、上記視野角制限フィルムをバックライトの光学フィルム内に含ませるにあたって、次のような問題が生ずる。通常、この種の光学フィルムは例えば両面粘着テープなどにてバックライトのホルダに固定されるが、特に視野角制限フィルムは他の光学フィルムに比べて熱膨張率が大きい。
【０００６】
そのため、高温状態に置かれることがある車載機器用途などでは、視野角制限フィルムを両面粘着テープなどで固定してしまうと、高温時にそのフィルムにうねりなどが発生し、表示に悪影響を与えることがある。また、輝度上昇フィルムも熱膨張率が大きい部類に入るため、特に車載機器用途の場合には同様の問題が生じやすい。
【０００７】
したがって、本発明の課題は、上記視野角制限フィルムなどのように熱膨張率が大である光学フィルムをホルダに対して、その熱膨張時においてもうねりなどが生ずることのないように固定することにある。
【課題を解決するための手段】
【０００８】
上記課題を解決するため、請求項１に記載の発明は、熱膨張率が大であるほぼ矩形状の光学フィルムをホルダ内にその熱膨張による寸法変化を許容可能として固定する光学フィルムの固定装置において、上記ホルダの隅に配置される基台を有し、上記基台の上面には、上記光学フィルムの膨張力によって降伏変形可能なゴム弾性体からなり、上記光学フィルムの角部を弾性的に支持する支持体が設けられていることを特徴としている。
【０００９】
請求項２に記載の発明は、上記請求項１において、上記支持体は、上記光学フィルムの角部の頂点部分を除いて、その角部を挟む隣接する２辺に対して当接する一対の支持片を備えていることを特徴としている。
【００１０】
請求項３に記載の発明は、上記請求項１において、上記支持体は、上記光学フィルムの角部を挟む隣接する２辺に沿って配置され、その角部の頂点部分に対応する部分で切り離されている一対の支持片を備えているとともに、上記角部の頂点部分には、上記隣接する２辺を上記各支持片に対して非接触状態として上記一対の支持片の対向する側の各端部に当接する頭部が形成されていることを特徴としている。
【００１１】
また、請求項４に記載の発明は、上記請求項１ないし３のいずれか１項において、上記光学フィルムが光源を冷陰極管とするサイドライト型バックライト用の光学フィルムであり、上記基台には上記冷陰極管の電極端子部を保持する保持穴が形成されていることを特徴としている。
【発明の効果】
【００１２】
請求項１に記載の発明によれば、光学フィルムの角部を同光学フィルムの膨張力によって降伏変形可能なゴム弾性体からなる支持体によって支持するようにしたことにより、光学フィルムが膨張したとしても、その膨張分の伸びが支持体によって吸収されるため、光学フィルムにうねりなどが発生しない。
【００１３】
また、請求項２に記載の発明によれば、光学フィルムの角部の頂点部分を除いて、その角部を挟む隣接する２辺を各支持片によって支持するようにしたことにより、光学フィルムの角部の頂点部分がフリー（非拘束）の状態となるため、光学フィルムの縦方向（Ｘ方向）および横方向（Ｙ方向）のいずれの伸びに対しても対応することができる。
【００１４】
また、請求項３に記載の発明によれば、光学フィルムの角部の頂点部分に対応する部分で切り離されている一対の支持片に対して、光学フィルムの角部の頂点部分に各支持片の対向する側の端部に当接する頭部を形成し、光学フィルムの隣接する２辺を各支持片に対して非接触状態とすることにより、上記請求項２と同じく、光学フィルムの縦方向（Ｘ方向）および横方向（Ｙ方向）のいずれの伸びに対しても対応することができる。
【００１５】
また、請求項４に記載の発明によれば、光源を冷陰極管とするサイドライト型バックライトにおいて、ホルダの隅に配置される基台を利用して冷陰極管を確実に固定することができる。
【発明を実施するための最良の形態】
【００１６】
次に、図１ないし図４により、本発明のいくつかの実施形態について説明するが、本発明はこれに限定されるものではない。図１は液晶表示パネル１の裏面側に配置されるバックライト２の分解斜視図であり、これを例にして本発明を説明する。
【００１７】
図１に示すバックライト２はサイドライト型であって、例えばポリカーボネイト樹脂などからなる導光板２１を備えている。図示しないが、導光板２１の所定の側面に沿って光源が配置される。光源は液晶表示パネル１の大きさに応じて選択され、例えば携帯電話機などの小型機器用途の場合には発光ダイオードが用いられ、それよりも画面サイズが大きい例えば車載モニタなどの中型機器用途の場合には冷陰極管が好ましく用いられる。
【００１８】
導光板２１の底面には光反射シート２２が配置される。導光板２１の上面（液晶表示パネル１に対する光照射面）側には光学フィルムの積層体２３が配置される。この例において、光学フィルムの積層体２３には、下から順に光拡散フィルム２４，輝度上昇フィルム（プリズムフィルム）２５および視野角制限フィルム２６が含まれ、視野角制限フィルム２６が一番上に配置される。
【００１９】
導光板２１が矩形状であることから各光学フィルムも矩形状として積層され、ホルダ３内に収納される。通常、ホルダ３は合成樹脂製であるが金属製とされる場合もある。このホルダ３内で光学フィルムを固定するにあたって、上記したように視野角制限フィルム２６は特に熱膨張率が大きいため、本発明による固定装置４が用いられる。
【００２０】
この固定装置４はホルダ３の隅に配置される。図１の例では４隅に配置されているが、対角的位置関係にある２つの隅に配置されてもよい。図１において、固定装置４は作図の都合上それに含まれている基台部分の形状しか示されていないが、図２ないし図４にその具体的な構成例を示す。
【００２１】
まず、図２の斜視図により第１実施形態に係る固定装置４Ａについて説明する。この固定装置４Ａは基台４１と、その上面側に形成された支持体４２とを備えている。基台４１と支持体４２はゴム弾性体から一体に形成されることが好ましい。
【００２２】
ゴム弾性体としては、光学フィルム（この例では、特に熱膨張率の大きい視野角制限フィルム２６）の膨張力によって容易に降伏変形するように、その弾性力が調製されたクロロプレンゴム，アクリルゴム，ウレタンゴム，フッ素ゴム，シリコーンゴムなどを例示できるが、高温にさらされる車載機器用途の場合には、耐熱性に優れているシリコーンゴムが好ましい。
【００２３】
基台４１は導光板２１の角にあてがわれるようにホルダ３の隅に配置されることから、ほぼＬ字状のブロックとして形成される。その高さ方向の厚さは、導光板２１の厚さとほぼ等しく、また、基台４１の底面にはホルダ３の底壁に形成されている係合溝に強制嵌合されるグロメット（ともに図示しない）が形成されていることが好ましい。
【００２４】
この例において、基台４１の端面には、導光板２１に対する図示しない光源としての冷陰極管の電極端子を嵌合保持する保持穴４１ａが穿設されている。これによれば、この固定装置４Ａを利用して上記冷陰極管を導光板２１の光入射面に対して確実に固定することができる。
【００２５】
この第１実施形態において、支持体４２は基台４１の内面に沿って立ち上がるＬ字状の衝立部４３を備え、この衝立部４３の両端には、光学フィルムの積層体２３に含まれている各光学フィルム２４〜２６のうちの少なくとも視野角制限フィルム２６の角部を支持する支持片４４，４５が連設されている。
【００２６】
視野角制限フィルム２６の角部の頂点部分をＡ，この頂点部分Ａを挟む隣接する２辺を２６ａ，２６ｂとして、支持片４４，４５は、その隣接する２辺２６ａ，２６ｂに当接さするように内側に向けてそれぞれ凸湾曲状に形成されるが、この場合、その突出寸法は角部の頂点部分Ａが衝立部４３に接触しないような寸法とされる。
【００２７】
また、支持片４４，４５の各上縁側には、隣接する２辺２６ａ，２６ｂに係合して視野角制限フィルム２６の外れを防止するための凸状ストッパ４４ａ，４５ａが一体に形成されている。なお、支持片４４，４５が軟らかくて、視野角制限フィルム２６の各辺２６ａ，２６ｂが支持片４４，４５に食い込み可能であれば、ことさら凸状ストッパ４４ａ，４５ａを設ける必要はない。
【００２８】
この固定装置４Ａは、図１に示すように好ましくはホルダ３の４隅に配置され、視野角制限フィルム２６は、その４つの角部が各固定装置４Ａの支持片４４，４５に当接するようにしてホルダ３内に配置される。
【００２９】
これによれば、高温環境下で視野角制限フィルム２６が膨張する場合、図２において、その縦方向（Ｘ方向）の伸びは一方の支持片４５が撓むことにより吸収され、横方向（Ｙ方向）の伸びは他方の支持片４４が撓むことにより吸収されるため、視野角制限フィルム２６は大きく膨張してもうねりなどを生ずることなく、各固定装置４Ａにて保持されることになる。
【００３０】
同様にして、別の光学フィルム、例えば輝度上昇フィルム２５の膨張も固定装置４Ａによって吸収することができる。なお、固定装置４Ａは最低限ホルダ３の対角位置関係にある２つの隅に配置されればよい（後述する各実施形態においても同じ）。
【００３１】
次に、図３に示す第２実施形態に係る固定装置４Ｂについて説明する。この固定装置４Ｂにおいても、支持体４２は凸湾曲状に形成された一対の支持片４４１，４５１を備えているが、この場合、支持片４４１，４５１はその各一端が連結され、各他端側が所定の角度で開くように形成される。その連結部をＪとする。
【００３２】
その他端側の開き角は、視野角制限フィルム２６の隣接する２辺２６ａ，２６ｂ（図２参照）を支持片４４１，４５１に当接させたとき、その頂点部分Ａが連結部Ｊには接触しない範囲とされる。この支持片４４１，４５１は、視野角制限フィルム２６が熱膨張を起こしたとき上記第１実施形態と同様に作用する。
【００３３】
また、この固定装置４Ｂでは、支持体４２は上記連結部Ｊが基台４１の外側の角に配置され、これにより基台４１の上面４１ｂを光学フィルムの角部載置面として利用するようにしている。すなわち、図１に示す光拡散フィルム２４，輝度上昇フィルム２５および視野角制限フィルム２６の各角部を基台４１の上面４１ｂに載置可能として、各光学フィルムのより安定した支持を実現している。
【００３４】
次に、図４に示す第３実施形態に係る固定装置４Ｃについて説明する。この固定装置４Ｃにおいても、基台４１の上面４１ｂに形成された一対の支持片４６，４７を備えているが、この場合、支持片４６，４７は縦板のリブ形状として、その各一端４６ａ，４７ａ同士が、例えば基台４１の外側の角で突き合うように基台４１の外側縁に沿って形成されている。
【００３５】
支持片４６，４７の各一端４６ａ，４７ａは切り離されているとともに、基台４１の外側の角が切り落とされ、これにより支持片４６，４７の各一端４６ａ，４７ａが自由端として変形しやすくなっている。また、支持片４６，４７には、上記第１実施形態と同じく、隣接する２辺２６ａ，２６ｂに係合して視野角制限フィルム２６の外れを防止するための凸状ストッパ４６ｂ，４７ｂが一体に形成されている。
【００３６】
一方、この第３実施形態においては、視野角制限フィルム２６の頂点部分には、その隣接する２辺２６ａ，２６ｂよりも外側に張り出す頭部２６１が形成される。この頭部２６１は、支持片４６，４７の各一端４６ａ，４７ａの双方に当接し得るように、それらの間の隙間よりも大きな大きさを有する。形状は円形，四角形など任意であってよい。
【００３７】
視野角制限フィルム２６は、頭部２６１を支持片４６，４７の各一端４６ａ，４７ａ間に突き当てるようにして配置されるが、頭部２６１が外側に張り出しているため、隣接する２辺２６ａ，２６ｂは支持片４６，４７から離された位置に置かれる。
【００３８】
したがって、視野角制限フィルム２６の熱膨張による伸びは、頭部２６１を介して支持片４６，４７の各一端４６ａ，４７ａに伝達され、その変形によって逃されるため、視野角制限フィルム２６にうねりなどが発生することはない。この第３実施形態を輝度上昇フィルム２５に適用することもできる。
【００３９】
なお、この第３実施形態における支持体４２を上記第１実施形態のように基台４１の内側縁に沿って配置してもよい。また、上記第１実施形態における支持体４２を上記第２，第３実施形態のように基台４１の外側縁に沿って配置することもできる。
【産業上の利用可能性】
【００４０】
以上、液晶表示素子用のバックライトに含まれる視野角制限フィルムを対象として本発明を説明したが、本発明は、これ以外の高い温度に加熱されて膨張する例えば照明装置に用いられる着色フィルムなどをホルダに固定する場合にも適用することができる。
【図面の簡単な説明】
【００４１】
【図１】本発明の適用例としての液晶表示素子用バックライトを示す分解斜視図。
【図２】本発明の第１実施形態に係る光学フィルムの固定装置を示す斜視図。
【図３】本発明の第２実施形態に係る光学フィルムの固定装置を示す斜視図。
【図４】本発明の第３実施形態に係る光学フィルムの固定装置を示す斜視図。
【符号の説明】
【００４２】
１  液晶表示パネル
２  バックライト
２１  導光板
２２  光反射フィルム
２３  光学フィルムの積層体
２４  光拡散フィルム
２５  輝度上昇フィルム
２６  視野角制限フィルム
２６ａ，２６ｂ  隣接する２辺
２６１  頭部
３  ホルダ
４，４Ａ〜４Ｃ  固定装置
４１  基台
４１ａ  保持穴
４２  支持体
４４，４５，４４１，４５１，４６，４７  支持片
【図１】
2006126583.tif 000003
【図２】
2006126583.tif 000004
【図３】
2006126583.tif 000005
【図４】
2006126583.tif 000006